(57)【要約】【課題】  式典の計画に関する情報を共有可能な式典計画情報共有システム、サーバ、式典計画情報共有プログラムを提供する。【解決手段】  管理サーバ１１のＣＰＵ１２は、式典の準備段階のデータであるシミュレーション結果をシミュレーションデータ記憶部２１に登録する。そして、披露宴終了後、ＣＰＵ１２は、そのシミュレーション結果を過去データとして、分類、識別情報、会場、実行回数と共に式典計画データ記憶部２３に登録する。プランナーは、プランナーコンピュータ１５を介して、それら過去データを分類、会場等を検索条件として検索条件入力画面に入力し、管理サーバ１１に送信する。管理サーバ１１は、その検索条件を基に式典計画データ記憶部２３から過去データを検索し、その検索結果を、プランナーコンピュータ１５のモニタＤ２の画面に検索結果表示画面として表示する。【選択図】      図１
2007034528.tif 000002
【特許請求の範囲】
【請求項１】
サーバと、式典を計画する式典計画者及び前記式典の主催者の少なくとも一方のクライアントとが接続され、前記式典計画者が前記式典の計画を共有する式典計画情報共有システムであって、
前記クライアントが、
前記式典の計画を計画情報として前記サーバに送信する計画情報送信手段を備え、
前記サーバが、
前記計画情報を受信する計画情報受信手段と、
前記計画情報を用いて前記式典をシミュレーションしてシミュレーション結果を生成する生成手段と、
前記シミュレーション結果を式典計画データとして式典計画データ記憶部に登録する第１登録手段と
を備えたことを特徴とする式典計画情報共有システム。
【請求項２】
サーバと、式典を計画する式典計画者及び前記式典の主催者の少なくとも一方のクライアントとが接続され、前記式典計画者が前記式典の計画を共有する式典計画情報共有システムであって、
前記クライアントが、
前記式典中の記録である式典記録情報を生成する式典記録情報生成手段と、
前記式典記録情報を前記サーバに送信する式典記録情報送信手段とを備え、
前記サーバが、
前記式典記録情報を受信する式典記録情報受信手段と、
前記式典記録情報を式典計画データとして式典計画データ記憶部に登録する第２登録手段と
を備えたことを特徴とする式典計画情報共有システム。
【請求項３】
請求項１または２に記載の式典計画情報共有システムであって、
前記クライアントが、
前記式典計画者によって、前記式典計画データ記憶部から前記式典計画データを検索する検索条件を入力可能な検索条件入力手段と、
前記検索条件を前記サーバに送信する検索条件送信手段と、
前記サーバから検索結果を受信する検索結果受信手段と
をさらに備え、
前記サーバが、
前記検索条件を受信する検索条件受信手段と、
前記式典計画データ記憶部から前記検索条件に一致する式典計画データを検索する検索手段と、
前記検索条件に一致する式典計画データを検索結果として前記クライアントに送信する検索結果送信手段と
をさらに備えたことを特徴とする式典計画情報共有システム。
【請求項４】
請求項３に記載の式典計画情報共有システムであって、
前記クライアントが、
前記検索結果を出力部に出力する出力手段をさらに備えたことを特徴とする式典計画情報共有システム。
【請求項５】
式典を計画する式典計画者及び前記式典の主催者の少なくとも一方のクライアントと接続可能な、前記式典計画者が前記式典の計画を共有するサーバであって、
前記式典の計画を計画情報として受信する計画情報受信手段と、
前記計画情報を用いて前記式典をシミュレーションしてシミュレーション結果を生成する生成手段と、
前記シミュレーション結果を式典計画データとして式典計画データ記憶部に登録する第１登録手段と
を備えたことを特徴とするサーバ。
【請求項６】
式典を計画する式典計画者及び前記式典の主催者の少なくとも一方のクライアントと接続可能な、前記式典計画者が前記式典の計画を共有するサーバであって、
前記式典中の記録である式典記録情報を受信する式典記録情報受信手段と、
前記式典記録情報を式典計画データとして式典計画データ記憶部に登録する第２登録手段と
を備えたことを特徴とするサーバ。
【請求項７】
請求項５または６に記載のサーバであって、
前記式典計画データ記憶部から前記式典計画データを検索する検索条件を受信する検索条件受信手段と、
前記式典計画データ記憶部から前記検索条件に一致する式典計画データを検索する検索手段と、
前記検索条件に一致する式典計画データを検索結果として前記クライアントに送信可能にする検索結果送信可能化手段と
をさらに備えたことを特徴とするサーバ。
【請求項８】
式典を計画する式典計画者及び前記式典の主催者の少なくとも一方のクライアントと接続可能な、前記式典計画者が前記式典の計画を共有するサーバを、
前記式典の計画を計画情報として受信する計画情報受信手段と、
前記計画情報を用いて前記式典をシミュレーションしてシミュレーション結果を生成する生成手段と、
前記シミュレーション結果を式典計画データとして式典計画データ記憶部に登録する第１登録手段と
して機能させることを特徴とする式典計画情報共有プログラム。
【請求項９】
請求項８に記載の式典計画情報共有プログラムであって、
前記サーバを、さらに、
前記式典計画データ記憶部から前記式典計画データを検索する検索条件を受信する検索条件受信手段と、
前記式典計画データ記憶部から前記検索条件に一致する式典計画データを検索する検索手段と、
前記検索条件に一致する式典計画データを検索結果として前記クライアントに送信可能にする検索結果送信可能化手段と
して機能させることを特徴とする式典計画情報共有プログラム。
【発明の詳細な説明】
【技術分野】
【０００１】
本発明は、式典計画情報共有システム、サーバ、式典計画情報共有プログラムに関する。
【背景技術】
【０００２】
従来、結婚式を予定している新郎新婦は、式場選び、式の日取り、衣装、料理等、結婚式の当日までに多くのことを決定する際、式場に何度も出向いて、披露宴等の段取りの提案や料金見積を行うプランナーと長時間の打合せを行っており、多大な時間と手間を要していた。
【０００３】
これに対し、結婚式、披露宴のシミュレーションを疑似体験できる結婚式シミュレーション方法が提案されている（例えば、特許文献１）。この結婚式シミュレーション方法は、結婚式シミュレーション提供側が、予め披露宴会場、衣装等の各種素材情報の画像データ、音声データ及び各単価を登録する。そして、それら素材情報から新郎新婦が希望する素材を選択し、新郎新婦自身の写真を画像データとしてアップロードして登録すると、新郎新婦は、自分達の画像データと選択した各種素材との合成画像や動画を見ることができる。これにより、プランナーとの打合せ回数や手間を低減できていた。
【特許文献１】特開２００１−３５７１４８号公報
【発明の開示】
【発明が解決しようとする課題】
【０００４】
ところで、各プランナーは、結婚式、披露宴のプランのアイディアを結婚式、披露宴の準備をサポートした経験によって得ていたため、ベテランのプランナーと新人のプランナーとでは、新郎新婦に提案可能な結婚式、披露宴のプランの質及び量に大きな差があった。そのため、同じ結婚式会場、披露宴会場であっても、新郎新婦に提供可能なサービスの質に大きな差が生じていた。
【０００５】
本発明は、上記問題を解決するためになされたものであり、その目的は、式典の計画に関する情報を共有可能な式典計画情報共有システム、サーバ、式典計画情報共有プログラムを提供することにある。
【課題を解決するための手段】
【０００６】
上記問題点を解決するために、本発明の式典計画情報共有システムは、サーバと、式典を計画する式典計画者及び前記式典の主催者の少なくとも一方のクライアントとが接続され、前記式典計画者が前記式典の計画を共有する式典計画情報共有システムであって、前記クライアントが、前記式典の計画を計画情報として前記サーバに送信する計画情報送信手段を備え、前記サーバが、前記計画情報を受信する計画情報受信手段と、前記計画情報を用いて前記式典をシミュレーションしてシミュレーション結果を生成する生成手段と、前記シミュレーション結果を式典計画データとして式典計画データ記憶部に登録する第１登録手段とを備えた。
【０００７】
この発明によれば、クライアントが、計画情報をサーバに送信し、サーバが、受信した計画情報を用いて式典をシミュレーションしてシミュレーション結果を生成し、そのシミュレーション結果を式典計画データとして式典計画データ記憶部に登録する。この結果、式典計画データが式典計画データ記憶部に登録されるため、例えば、式典計画者が式典の計画情報を共有することができる。従って、式典計画者の経験の有無によらず、均一で質の高い計画情報を式典の主催者に提供することができる。
【０００８】
本発明の式典計画情報共有システムは、サーバと、式典を計画する式典計画者及び前記式典の主催者の少なくとも一方のクライアントとが接続され、前記式典計画者が前記式典の計画を共有する式典計画情報共有システムであって、前記クライアントが、前記式典中の記録である式典記録情報を生成する式典記録情報生成手段と、前記式典記録情報を前記サーバに送信する式典記録情報送信手段とを備え、前記サーバが、前記式典記録情報を受信する式典記録情報受信手段と、前記式典記録情報を式典計画データとして式典計画データ記憶部に登録する第２登録手段とを備えた。
【０００９】
この発明によれば、クライアントが、式典中の記録である式典記録情報を生成し、式典記録情報をサーバに送信し、サーバが、受信した式典記録情報を式典計画データとして式典計画データ記憶部に登録する。この結果、式典中の記録である式典計画データが式典計画データ記憶部に登録されるため、例えば、式典計画者が、一層、臨場感があり、成功したか否かを容易に把握可能な式典の計画情報を共有することができる。従って、式典計画者の経験の有無によらず、一層、質の高い計画情報を式典の主催者に提供することができる。
【００１０】
本発明の式典計画情報共有システムであって、前記クライアントが、前記式典計画者によって、前記式典計画データ記憶部から前記式典計画データを検索する検索条件を入力可能な検索条件入力手段と、前記検索条件を前記サーバに送信する検索条件送信手段と、前記サーバから検索結果を受信する検索結果受信手段とをさらに備え、前記サーバが、前記検索条件を受信する検索条件受信手段と、前記式典計画データ記憶部から前記検索条件に一致する式典計画データを検索する検索手段と、前記検索条件に一致する式典計画データを検索結果として前記クライアントに送信する検索結果送信手段とをさらに備えた。
【００１１】
この発明によれば、クライアントが、さらに、式典計画者によって入力可能な式典計画データ記憶部から式典計画データを検索する検索条件をサーバに送信し、サーバから検索結果を受信し、サーバが受信した検索条件に一致する式典計画データを式典計画データ記憶部から検索し、検索条件に一致する式典計画データを検索結果としてクライアントに送信する。この結果、式典計画者がクライアントを介して、式典計画データの蓄積された式典計画データ記憶部から検索条件に応じた式典計画データを検索することができるので、式典計画者の経験によらず、質の高い計画情報を迅速に式典の主催者に提供することができる。
【００１２】
本発明の式典計画情報共有システムであって、前記クライアントが、前記検索結果を出力部に出力する出力手段をさらに備えた。この発明によれば、クライアントが、検索結果を出力部に出力する出力手段をさらに備えた。この結果、例えば、式典計画者が出力部に出力した検索結果を式典の主催者に見せることによって、一層、説得力のある式典の計画の提案をすることができる。
【００１３】
本発明のサーバは、式典を計画する式典計画者及び前記式典の主催者の少なくとも一方のクライアントと接続可能な、前記式典計画者が前記式典の計画を共有するサーバであって、前記式典の計画を計画情報として受信する計画情報受信手段と、前記計画情報を用いて前記式典をシミュレーションしてシミュレーション結果を生成する生成手段と、前記シミュレーション結果を式典計画データとして式典計画データ記憶部に登録する第１登録手段とを備えた。
【００１４】
また、本発明の式典計画情報共有プログラムは、式典を計画する式典計画者及び前記式典の主催者の少なくとも一方のクライアントと接続可能な、前記式典計画者が前記式典の計画を共有するサーバを、前記式典の計画を計画情報として受信する計画情報受信手段と
、前記計画情報を用いて前記式典をシミュレーションしてシミュレーション結果を生成する生成手段と、前記シミュレーション結果を式典計画データとして式典計画データ記憶部に登録する第１登録手段として機能させる。
【００１５】
これらの発明によれば、受信した計画情報を用いて式典をシミュレーションしてシミュレーション結果を生成し、シミュレーション結果を式典計画データとして式典計画データ記憶部に登録する。この結果、式典計画データが式典計画データ記憶部に登録されるため、例えば、式典計画者が式典の計画情報を共有することができる。従って、式典計画者の経験の有無によらず、均一で質の高い計画情報を式典の主催者に提供することができる。
【００１６】
本発明のサーバは、式典を計画する式典計画者及び前記式典の主催者の少なくとも一方のクライアントと接続可能な、前記式典計画者が前記式典の計画を共有するサーバであって、前記式典中の記録である式典記録情報を受信する式典記録情報受信手段と、前記式典記録情報を式典計画データとして式典計画データ記憶部に登録する第２登録手段とを備えた。
【００１７】
この発明によれば、受信した式典記録情報を式典計画データとして式典計画データ記憶部に登録する。この結果、式典中の記録である式典計画データが式典計画データ記憶部に登録されるため、例えば、式典計画者が、一層、臨場感があり、成功したか否かを容易に把握可能な式典の計画情報を共有することができる。従って、式典計画者の経験の有無によらず、一層、質の高い計画情報を式典の主催者に提供することができる。
【００１８】
本発明のサーバであって、前記式典計画データ記憶部から前記式典計画データを検索する検索条件を受信する検索条件受信手段と、前記式典計画データ記憶部から前記検索条件に一致する式典計画データを検索する検索手段と、前記検索条件に一致する式典計画データを検索結果として前記クライアントに送信可能にする検索結果送信可能化手段とをさらに備えた。
【００１９】
また、本発明に記載の式典計画情報共有プログラムであって、前記サーバを、さらに、前記式典計画データ記憶部から前記式典計画データを検索する検索条件を受信する検索条件受信手段と、前記式典計画データ記憶部から前記検索条件に一致する式典計画データを検索する検索手段と、前記検索条件に一致する式典計画データを検索結果として前記クライアントに送信可能にする検索結果送信可能化手段として機能させる。
【００２０】
これらの発明によれば、受信した検索条件に一致する式典計画データを式典計画データ記憶部から検索し、検索条件に一致する式典計画データを検索結果としてクライアントに送信可能にする。この結果、式典計画者がクライアントを介して、式典計画データの蓄積された式典計画データ記憶部から検索条件に応じた式典計画データを検索することができるので、式典計画者の経験によらず、質の高い計画情報を迅速に式典の主催者に提供することができる。
【発明を実施するための最良の形態】
【００２１】
以下、本発明を具体化した一実施形態を図１〜図１０に従って説明する。本実施形態では、式典計画情報共有システムを、例えば、式典としての結婚式や披露宴（以下、披露宴と言う）のプランをサーバに蓄積し、その蓄積したプランを複数の式典計画者としてのプランナーが共有する場合について説明する。
【００２２】
図１に示すように、管理サーバ１１は、披露宴のための各種情報の送受信及び各記憶部に格納されるデータの読み出し、書き込み等を行うＣＰＵ１２を有する。ＣＰＵ１２は、インターネット等のネットワークＩを介してクライアントとしての少なくとも１台の主催
者コンピュータ１３、クライアントとしての複数のプランナーコンピュータ１５に接続されている。管理サーバ１１は、本実施形態では、ネットワークＩを通じて披露宴のシミュレーションを行うブライダルシミュレータＢＳ（図５参照）やそれに付随するサービスを主催者としての新郎新婦等の顧客に利用させる結婚サービス業者が所有するサーバである。主催者コンピュータ１３は、新郎新婦がそれぞれ所有する少なくとも１台の端末である。そして、プランナーコンピュータ１５は、披露宴のプランの準備をサポートする複数のプランナーがそれぞれ所有する複数の端末である。なお、図１では、説明の便宜上、プランナーコンピュータ１５は２台しか図示していないが、実際はそれ以上のプランナーコンピュータ１５が管理サーバ１１と接続されている。また、主催者コンピュータ１３についても同様に２台しか図示していないが、実際はそれ以上の主催者コンピュータ１３が管理サーバ１１と接続されていてもよい。
【００２３】
管理サーバ１１は、ＣＰＵ１２等の制御部、図示しないＲＡＭ及びＲＯＭ等の記憶部、及び通信手段等を備えている。このＣＰＵ１２は、ＲＯＭに記憶された各種プログラムに従って、主催者コンピュータ１３及びプランナーコンピュータ１５と各種データの送受信を行う。すなわち、本実施形態では、このＣＰＵ１２（管理サーバ１１）が、計画情報受信手段、生成手段、第１登録手段、検索条件受信手段、検索手段、検索結果送信手段、検索結果送信可能化手段等として機能する。また、管理サーバ１１は、結婚サービス業者が新郎新婦用、プランナー用、それぞれに開設したホームページのデータを記憶している。
【００２４】
図２に示すように、主催者コンピュータ１３は、ＣＰＵ１３ａ等の制御部、ＲＡＭ１３ｂ及びＲＯＭ１３ｃ等の記憶部、及び通信手段１３ｄ等を備えている。この主催者コンピュータ１３は、ＲＯＭ１３ｃに記憶された各種プログラムに従って、通信手段１３ｄを介してＣＰＵ１２と各種データの送受信を行う。すなわち、本実施形態では、この主催者コンピュータ１３が、計画情報送信手段等として機能する。また、ＲＯＭ１３ｃには、Ｗｅｂブラウザーが記憶されており、このＷｅｂブラウザーを介して、後述するブライダルシミュレータＢＳを操作可能となっている。
【００２５】
また、図１及び図２に示すように、主催者コンピュータ１３は、キーボードＫ１、マウスＭ１等の入力手段を備えており、ブライダルシミュレータＢＳ、結婚サービス業者が開設したホームページへの入力等を行うための各種操作信号をこの入力手段を介して主催者コンピュータ１３に入力する。また、主催者コンピュータ１３はモニタＤ１を備えている。そのモニタＤ１は、例えば、画像を表示するＬＣＤ（L iquid Crystal Display）等で
あって、モニタＤ１の画面上にＣＰＵ１２から送信された各種データ等を出力表示する。
【００２６】
図３に示すように、プランナーコンピュータ１５は、ＣＰＵ１５ａ等の制御部、ＲＡＭ１５ｂ及びＲＯＭ１５ｃ等の記憶部、及び通信手段１５ｄ等を備えている。このプランナーコンピュータ１５は、ＲＯＭ１５ｃに記憶された各種プログラムに従って、通信手段１５ｄを介してＣＰＵ１２と各種データの送受信を行う。すなわち、本実施形態では、このプランナーコンピュータ１５が、検索条件入力手段、検索条件送信手段、検索結果受信手段、出力手段等として機能する。また、ＲＯＭ１５ｃには、Ｗｅｂブラウザーが記憶されており、このＷｅｂブラウザーを介して、プランナー用ホームページを閲覧、操作可能となっている。
【００２７】
また、図１及び図３に示すように、プランナーコンピュータ１５は、キーボードＫ２、マウスＭ２等の入力手段を備えており、結婚サービス業者が開設したプランナー用ホームページへの入力等を行うための各種操作信号をこの入力手段を介してプランナーコンピュータ１５に入力する。また、プランナーコンピュータ１５は出力部としてのモニタＤ２を備えている。そのモニタＤ２は、例えば、画像を表示するＬＣＤ（Liquid Crystal Display）等であって、モニタＤ２の画面上にＣＰＵ１２から送信された各種データ等を出力表
示する。
【００２８】
管理サーバ１１は、図１に示すようにシミュレーションデータ記憶部２１、式典計画データ記憶部２３を有する。図４に示すように、シミュレーションデータ記憶部２１はシミュレーションデータ２１ａを備えている。シミュレーションデータ２１ａには、各新郎新婦がそれぞれの主催者コンピュータ１３を用いて行ったブライダルシミュレーションの結果が、新郎新婦毎に登録されている。
【００２９】
シミュレーションデータ２１ａは、顧客識別情報３１、顧客データ３３、シミュレーション結果３５を備えている。顧客識別情報３１は、新郎新婦毎に与えられる固有の識別情報であって、ＣＰＵ１２から送信されて登録される。顧客データ３３は、新郎新婦に関する個人情報であって、住所、電話番号、電子メールアドレス、生年月日、勤務先等である。シミュレーション結果３５は、新郎新婦がブライダルシミュレーションを実行した後のシミュレーション結果である。
【００３０】
ここで、ブライダルシミュレーションとは、図５に示すように、新郎新婦がブライダルシミュレータＢＳで披露宴を擬似的に行うことであって、披露宴の計画、金額の見積もり等をサポートする。すなわち、管理サーバ１１の図示しないＲＯＭには、披露宴会場、テーブルクロス、装花、ウェディングケーキ等の披露宴に用いられる計画情報としての各素材の画像、金額等の情報が記憶されている。そして、新郎新婦は、主催者コンピュータ１３のＷｅｂブラウザーを起動してブライダルシミュレータＢＳをモニタＤ１に表示し、ブライダルシミュレータＢＳ上でそれら各素材の画像や情報を基に主催者コンピュータ１３のマウスＭ１やキーボードＫ１等を介して素材を選択する。
【００３１】
例えば、図５において、ブライダルシミュレータＢＳの会場表示領域Ｅ１には披露宴会場の見取り図が、会場表示領域Ｅ２にはその披露宴会場の画像が表示されるので、新郎新婦は、会場表示領域Ｅ１，Ｅ２を参考にして会場表示領域Ｅ１の選択ボタンＢ１をマウスＭ１で押下することによって、好みの披露宴会場を選択する。また、ブライダルシミュレータＢＳの素材表示領域Ｅ３には、披露宴会場に配置される各素材が表示される。そして、新郎新婦は、素材表示領域Ｅ３の選択ボタンＢ２をマウスＭ１で押下して選択したカテゴリに応じて表示される各素材の画像を参考にして、素材表示領域Ｅ３の選択ボタンＢ３をマウスＭ１で押下することによって、好みの素材を選択する。
【００３２】
また、計画情報としての披露宴会場での演出、テーブル配置、ＢＧＭ等も、このブライダルシミュレータＢＳ上でシミュレーションして、モニタＤ１の画面上で確認可能である。これら演出等についても、素材表示領域Ｅ３に選択ボタンＢ３と共に表示される。また、詳細説明領域Ｅ４に、それら演出等についての説明がそれぞれ表示されるので、新郎新婦は、この詳細説明領域Ｅ４を参考にして選択ボタンＢ３をマウスＭ１で押下することによってそれら演出等を選択する。
【００３３】
このように新郎新婦が主催者コンピュータ１３を介して選択した各素材の金額が見積もり表示領域Ｅ５に表示される。また、選択した各素材の画像が会場表示領域Ｅ２に披露宴会場の画像と共に表示される。新郎新婦は、これら見積もり表示領域Ｅ５に表示された金額や会場表示領域Ｅ２に表示された画像を基に、何度でも各素材を選択し直して好みの披露宴をシミュレーションすることができる。
【００３４】
図６に示すように、式典計画データ記憶部２３は式典計画データ２３ａを備えている。式典計画データ２３ａには、各新郎新婦がそれぞれの主催者コンピュータ１３を用いて行ったブライダルシミュレーションの結果が、新郎新婦（披露宴）毎に登録されている。
【００３５】
式典計画データ２３ａは、分類４１、識別情報４３、会場４５、過去データ４７、実行回数４９を備えている。分類４１は、披露宴時の演出、テーブル配置、ＢＧＭ等であって、それぞれのシミュレーション結果の特徴である。なお、本実施形態では、シミュレーション結果を、それぞれ分類４１毎に登録する。すなわち、同じシミュレーション結果であっても、例えば、演出に特徴がある場合と、ＢＧＭに特徴がある場合とでは、別々に登録される。識別情報４３は、分類４１毎にそれぞれ与えられる固有の識別情報である。すなわち、同じ披露宴（シミュレーション結果）であっても、演出（分類４１）とＢＧＭ（分類４１）にはそれぞれ異なる識別情報４３が付与される。そして、この識別情報４３は、ＣＰＵ１２から送信されて登録される。
【００３６】
会場４５は、披露宴が開催される披露宴会場である。式典計画データとしての過去データ４７は、新郎新婦がブライダルシミュレーションを実行した後のシミュレーション結果であって、本実施形態では、披露宴終了後にシミュレーションデータ記憶部２１のシミュレーション結果３５が送信されて登録される。実行回数４９は、この過去データ４７（シミュレーション結果３５）が実行された回数であって、実行される毎に、すなわち、既に登録されている識別情報４３に対応した過去データ４７がシミュレーションデータ記憶部２１から送信されたとき、インクリメントされる。
【００３７】
次に、プランナーコンピュータ１５のモニタＤ２の画面に表示される表示画面について、図７及び図８に従って説明する。表示画面には検索条件入力画面Ｐ１（図７参照）、検索結果表示画面Ｐ２（図８参照）の２種類がある。
【００３８】
図７に示すように、検索条件入力画面Ｐ１は、結婚サービス業者が管理サーバ１１上に開設したプランナー用ホームページのうちの一画面であって、各プランナーが過去データ４７を検索するための画面である。
【００３９】
検索条件入力画面Ｐ１には、分類欄５１、会場欄５３が表示されている。分類欄５１には、プランナーが過去データ４７を分類４１を基に検索する場合に、分類４１を選択するためのプルダウンメニューＰＤ１が表示されている。すなわち、式典計画データ記憶部２３に登録された複数の分類４１がこのプルダウンメニューＰＤ１を用いて選択可能になっている。そして、会場欄５３には、プランナーが過去データ４７を会場４５を基に検索する場合に、会場４５を選択するためのプルダウンメニューＰＤ２が表示されている。すなわち、式典計画データ記憶部２３に登録された複数の会場４５がプルダウンメニューＰＤ２を用いて選択可能になっている。
【００４０】
まず、プランナーは、検索条件入力画面Ｐ１のプルダウンメニューＰＤ１，ＰＤ２の少なくとも一方をマウスＭ２でクリックして、分類４１及び会場４５の少なくとも一方を選択することにより、検索条件を入力する。そして、分類４１及び会場４５の少なくとも一方の入力が終了したプランナーが、ＯＫボタンＢＯをマウスＭ２でクリックすることによって、プランナーコンピュータ１５から管理サーバ１１に選択した分類４１（会場４５）が送信される。一方、プランナーが再度検索条件を入力する際には、キャンセルボタンＣＯをマウスＭ２でクリックすることによって、再入力が可能である。そして、検索条件を受信した管理サーバ１１は、その分類４１（会場４５）を基に、式典計画データ記憶部２３から過去データ４７を検索する。
【００４１】
管理サーバ１１が検索終了後、プランナーコンピュータ１５のモニタＤ２の画面には、検索結果表示画面Ｐ２が表示される。図８に示すように、検索結果表示画面Ｐ２は、結婚サービス業者が管理サーバ１１上に開設したプランナー用ホームページのうちの一画面であって、管理サーバ１１が検索した過去データ４７（検索結果）をプランナーが閲覧するための画面である。本実施形態では、例えば、検索結果が一画面につき１０個まで表示さ
れるようになっている。
【００４２】
検索結果表示画面Ｐ２には、分類欄６１、会場欄６３、識別情報欄６５、データ概要欄６７、データ詳細欄６９、実行回数欄７１が表示されている。分類欄６１には、プランナーが検索条件として指定した分類４１が表示されている。会場欄６３にも同様に、プランナーが検索条件として指定した会場４５が表示されている。そして、識別情報欄６５には、検索された過去データ４７に対応する識別情報４３が表示されている。データ概要欄６７には、過去データ４７の概要であって、ブライダルシミュレータＢＳの詳細説明領域Ｅ４に記載されていた説明が表示されている。データ詳細欄６９には、過去データ４７の画像であって、ブライダルシミュレータＢＳに表示される画像が表示されている。本実施形態では、例えば、データ詳細欄６９にはサムネイルで表示され、このサムネイルをマウスＭ２でクリックすると、ブライダルシミュレータＢＳ上で表示されていた画像と同じ大きさの画像が、検索結果表示画面Ｐ２とは別に表示される画面（図示しない）に表示されるようになっている。実行回数欄７１には、検索した過去データ４７に対応した実行回数４９が表示されている。
【００４３】
次に、過去データ４７を式典計画データ記憶部２３に登録する式典計画データ登録処理を図９に従って説明する。このとき、本実施形態では、主催者コンピュータ１３のモニタＤ１にはブライダルシミュレータＢＳの画面が表示されているとする。
【００４４】
まず、新郎新婦は、主催者コンピュータ１３のマウスＭ１やキーボードＫ１等の入力手段を介してブライダルシミュレータＢＳの画面から各素材や演出等を選択し、送信する（ステップＳ１−１０）。管理サーバ１１は、各素材や演出等を受信すると（ステップＳ１−１５）、披露宴のシミュレーションを行うことによりシミュレーション結果３５を生成する（ステップＳ１−２０）。そして、その生成されたシミュレーション結果３５は、披露宴終了前まではシミュレーションデータ記憶部２１に登録される。そして、披露宴終了後に、ＣＰＵ１２によって分類毎に識別情報４３が付与され、管理サーバ１１の式典計画データ記憶部２３に登録され（ステップＳ１−２５）、この式典計画データ登録処理を終了する。
【００４５】
次に、過去データ４７を式典計画データ記憶部２３から検索する式典計画データ検索処理を図１０に従って説明する。このとき、本実施形態では、プランナーコンピュータ１５のモニタＤ２には検索条件入力画面Ｐ１が表示されているとする。
【００４６】
まず、プランナーは、プランナーコンピュータ１５のマウスＭ２でプルダウンメニューＰＤ１，ＰＤ２の少なくとも一方をクリックして、分類４１及び会場４５の少なくとも一方を選択することにより、過去データ４７の検索条件を入力する（ステップＳ２−１０）。そして、検索条件入力画面Ｐ１のＯＫボタンＢＯをマウスＭ２でクリックすることによって、プランナーコンピュータ１５は、検索条件を管理サーバ１１に送信する（ステップＳ２−１５）。管理サーバ１１は、検索条件を受信すると（ステップＳ２−２０）、その検索条件に基づいて式典計画データ記憶部２３から過去データ４７を検索する（ステップＳ２−２５）。そして、管理サーバ１１は、その検索結果を検索結果表示画面Ｐ２としてプランナーコンピュータ１５に送信する（ステップＳ２−３０）。プランナーコンピュータ１５は、検索結果を受信すると（ステップＳ２−３５）、検索結果表示画面Ｐ２をプランナーコンピュータ１５のモニタＤ２の画面に表示し（ステップＳ２−４０）、この式典計画データ検索処理を終了する。
【００４７】
この式典計画データ登録処理によって、過去に行われた披露宴のブライダルシミュレーション結果が、過去データ４７として管理サーバ１１の式典計画データ記憶部２３に蓄積される。そして、式典計画データ検索処理によって、各プランナーが、それら過去データ
４７から検索条件に合った過去データ４７を容易に検索することができる。この結果、例えば、新人のプランナーであっても、この式典計画データ検索処理によって、ベテランのプランナーと同等の質や量のプランを即座に提案することができる。従って、各プランナーの経験の差によって生じ得る、提供可能なプランの質や量のバラツキを低減することができるため、結婚サービス業者が、常に高品質のサービスを新郎新婦に提供することができる。
【００４８】
上記実施形態によれば、以下のような効果を得ることができる。
（１）  本実施形態によれば、管理サーバ１１の式典計画データ記憶部２３に過去データ４７としてシミュレーション結果３５を登録した。この結果、過去のシミュレーション結果３５を蓄積することができるので、その過去データ４７を閲覧することによって、プランナーの経験によらず、均一で質の高いサービスを新郎新婦に提供することができる。従って、均一で質の高いサービスを基に、結婚サービス業者が新規顧客を開拓することができる。さらに、ベテランのプランナーが新人のプランナーに、今までの提案したことのあるプラン（過去データ４７）を教える手間を低減することができるため、結婚サービス業者内部の業務の効率を高めることができる。
【００４９】
（２）  本実施形態によれば、披露宴終了後に、管理サーバ１１が、シミュレーション結果３５を自動的に式典関連データ記憶部２３に過去データ４７として登録した。この結果、プランナーの手間を増加させることなく、過去データ４７を蓄積することができる。
【００５０】
（３）  本実施形態によれば、過去データ４７を、会場４５と共に式典計画データ２３ａとして式典計画データ記憶部２３に登録した。この結果、例えば、過去データ４７を検索する際に、会場４５を検索条件とし、その会場４５を選択してシミュレーションしたシミュレーション結果３５（過去データ４７）を検索することができる。従って、プランナーが会場に適したプランを提供することができるので、一層、質の高いサービスを新郎新婦に提供することができる。
【００５１】
（４）  本実施形態によれば、各プランナーは、プランナーコンピュータ１５のモニタＤ２の画面に表示された検索条件入力画面Ｐ１のプルダウンメニューＰＤ１，ＰＤ２及びＯＫボタンＢＯをマウスＭ２でクリックすることによって、所望の検索条件に一致する過去データ４７を検索することができる。従って、簡単な操作で過去データ４７を検索することができることから、各プランナーの経験によらず、質の高いサービスを迅速に新郎新婦に提供することができる。
【００５２】
（５）  本実施形態によれば、プランナーが指定した検索条件に応じて管理サーバ１１が検索した結果を、検索結果表示画面Ｐ２としてプランナーコンピュータ１５のモニタＤ２の画面に表示した。この結果、プランナーが検索結果を容易に確認することができる。
【００５３】
（６）  本実施形態によれば、プランナーが指定した検索条件に応じて管理サーバ１１が検索した結果を、検索結果表示画面Ｐ２としてプランナーコンピュータ１５のモニタＤ２の画面に表示した。この結果、例えば、プランナーがこの検索結果表示画面Ｐ２を新郎新婦に見せることによって、プランの提案の際に一層、説得力を増すことができる。従って、プランナーが、一層、質の高いサービスを新郎新婦に提供することができる。
【００５４】
（７）  本実施形態によれば、管理サーバ１１が検索した結果としてプランナーコンピュータ１５のモニタＤ２の画面に表示した検索結果表示画面Ｐ２に、過去データ４７に対応した画像データを表示した。この結果、プランナーが新郎新婦にプランを勧める際に、一層説得力を増すことができる。
【００５５】
（８）  本実施形態によれば、管理サーバ１１が検索した結果としてプランナーコンピュータ１５のモニタＤ２の画面に表示した検索結果表示画面Ｐ２に、実行回数４９を表示した。この結果、プランナーが新郎新婦に人気のあるプランを勧めることができる。また、プランナーが、この実行回数４９を新郎新婦に知らせることによって、一層、新郎新婦にそのプランについて興味を持たせることができる。従って、プランナーが、一層、質の高いサービスを新郎新婦に提供することができる。
【００５６】
（９）  本実施形態によれば、過去データ４７を実行回数４９と共に式典計画データ記憶部２３に登録した。この結果、この実行回数４９によって、結婚サービス業者や各プランナーが人気のあるプランの傾向を容易に把握することができる。従って、例えば、把握した傾向を基に新しいプランを立案することによって、一層、新郎新婦に質の高いサービスを提供することができる。
【００５７】
（１０）  本実施形態によれば、識別情報４３と共に過去データ４７を式典計画データ記憶部２３に登録することによって、同じ識別情報４３に対応した過去データ４７が式典計画データ記憶部２３に送信されたとき、実行回数４９をインクリメントした。この結果、自動的に実行回数４９をインクリメントすることができるので、簡単でありながらも確実に実行回数４９を管理することができる。
【００５８】
なお、上記実施形態は以下のように変更してもよい。
○上記実施形態では、過去データ４７は、シミュレーション結果３５であった。これに限らず、例えば、シミュレーション結果３５及び式典記録情報としての披露宴時の画像や映像等の記録の少なくとも１つであって、式典の様子が把握できるデータであればよい。なお、この披露宴時の記録は、新郎新婦が主催者コンピュータ１３を介して管理サーバ１１に送信してもよい。このとき、主催者コンピュータ１３は、さらに、式典記録情報生成手段、式典記録情報送信手段等として機能する。また、プランナーがプランナーコンピュータ１５を介して管理サーバ１１に送信してもよい。このとき、プランナーコンピュータ１５は、さらに、式典記録情報生成手段、式典記録情報送信手段等として機能する。そして、管理サーバ１１（ＣＰＵ１２）は、さらに、式典記録情報受信手段、第２登録手段等として機能する。
【００５９】
過去データ４７として蓄積するデータは、過去データ４７を生成する際、または予め式典の準備をする前に、プランナーがプランナーコンピュータ１５の入力手段を介して、シミュレーション結果３５及び披露宴時の記録のうち少なくとも一方を選択してもよい。このように、披露宴時の記録も過去データ４７として蓄積することによって、臨場感があり、成功したか否かを容易に把握可能なデータを蓄積することができるため、一層、プランナーが新郎新婦に説得力のある提案をすることができる。
【００６０】
○上記実施形態では、新郎新婦が主催者コンピュータ１３を介してブライダルシミュレータＢＳによってシミュレーション結果３５を生成した。これを、プランナーがプランナーコンピュータ１５を介してブライダルシミュレータＢＳによってシミュレーション結果３５を生成してもよい。
【００６１】
○上記実施形態では、実行回数４９は、過去データ４７が実行された回数、すなわちシミュレーションが実行された回数であったが、実際にそのシミュレーション結果３５を披露宴で実行した回数であってもよい。これにより、プランナーが、そのシミュレーション結果３５を実際に実行した回数を把握することができるため、一層、説得力のある提案をすることができる。
【００６２】
○上記実施形態では、過去データ４７は、シミュレーション結果３５であったが、雑誌
等のメディアに掲載されたプランであってもよい。このとき、実行回数４９を、雑誌等に掲載された回数とすることで、一層、人気のあるプランを把握することができる。
【００６３】
○上記実施形態では、過去データ４７と共に実行回数４９を式典計画データ記憶部２３に登録したが、雑誌掲載回数も共に登録してもよい。すなわち、例えば、過去データ４７が雑誌等のメディアに掲載される度に結婚サービス業者やプランナーが、管理サーバ１１の図示しない入力手段等を介して雑誌掲載回数をインクリメントする。これにより、一層、人気のあるプランを把握することができる。
【００６４】
○上記実施形態では、分類４１は、披露宴時の演出、テーブル配置、ＢＧＭであったが、これに限らず、時期、招待客数、新郎新婦の年代、会場で行われていた他のイベント等であってもよく、過去データ４７を蓄積し易い、または過去データ４７を検索し易い条件であればよい。
【００６５】
○上記実施形態では、披露宴終了後、ＣＰＵ１２が、シミュレーション結果３５を過去データ４７として式典計画データ記憶部２３に登録した。これを、披露宴終了前に、ＣＰＵ１２が、シミュレーション結果３５を過去データ４７として式典計画データ記憶部２３に登録してもよい。
【００６６】
○上記実施形態では、披露宴終了後、ＣＰＵ１２が、シミュレーション結果３５を過去データ４７として式典計画データ記憶部２３に登録した。これを、プランナーが予め、または披露宴終了後に新郎新婦にシミュレーション結果３５を過去データ４７として登録して良いか否かを確認し、登録して良いときのみ、その過去データ４７を式典計画データ記憶部２３に登録してもよい。
【００６７】
○上記実施形態では、ＣＰＵ１２は、シミュレーション結果３５をシミュレーションデータ記憶部２１に登録し、披露宴後にそのシミュレーション結果３５を過去データ４７として式典計画データ記憶部２３に登録した。これを、シミュレーションデータ記憶部２１を設けずに、ＣＰＵ１２が、シミュレーション結果３５を過去データ４７として、分類４１、識別情報４３、会場４５と共に式典計画データ記憶部２３に登録してもよい。
【００６８】
○上記実施形態では、過去データ４７を検索する際に検索条件入力画面Ｐ１に入力する検索条件は、分類４１と会場４５であったが、さらに、実行回数４９や上述の雑誌掲載回数も検索条件として加えてもよい。
【００６９】
○上記実施形態では、管理サーバ１１が検索した過去データ４７を検索結果表示画面Ｐ２としてプランナーコンピュータ１５のモニタＤ２の画面に出力した。これを、例えば、プランナーが新郎新婦との打合せ前に新郎新婦が希望する過去データ４７を聞いていたとき等、予め検索した検索結果表示画面Ｐ２をプランナーコンピュータ１５または管理サーバ１１にレーザプリンタ、インクジェット式プリンタ、熱転写式プリンタ等の出力手段としての印刷機器を接続する。そして、その印刷機器によって過去データ４７を印刷して新郎新婦に閲覧させてもよい。これにより、例えば、打合せ時にプランナーがプランナーコンピュータ１５を持参しなくても、過去データ４７を印刷した紙（出力部）を持参するだけで、過去データ４７を新郎新婦に閲覧させることができる。
【００７０】
○上記実施形態では、管理サーバ１１が検索した過去データ４７を検索結果表示画面Ｐ２としてプランナーコンピュータ１５のモニタＤ２の画面に出力した。これを、プランナーコンピュータ１５または管理サーバ１１に出力手段としてのプロジェクタを接続し、過去データ４７を出力部としてのスクリーン等に投影して新郎新婦に閲覧させてもよい。これにより、一層、臨場感に溢れる過去データ４７を新郎新婦に閲覧させることができるこ
とから、一層、質の高いサービスを新郎新婦に提供することができる。
【００７１】
○上記実施形態では、新郎新婦が使用する主催者コンピュータ１３、プランナーが使用するプランナーコンピュータ１５は、いずれもコンピュータであった。これに限らず、携帯電話、ＰＤＡ等でもよく、各種データを入力するための入力手段、各種データを閲覧するための出力手段及び各種データを送受信するための通信手段等を有していればよい。
【００７２】
○上記実施形態では、管理サーバ１１とプランナーコンピュータ１５とがそれぞれインターネット等のネットワークＩで接続されていた。このネットワークＩは、インターネットに限らず、社内ＬＡＮ（Local Area Network）等で接続されていてもよい。
【００７３】
○上記実施形態では、式典は結婚式及び披露宴、過去データ４７は結婚式及び披露宴のシミュレーション結果３５や披露宴時の記録であった。これに限らず、式典は、葬式、法事、同窓会、宴会等でもよく、予め主催者が招待客をもてなすために何らかの準備をするものであればよい。このとき、過去データ４７は、シミュレーション結果３５でなくてもよく、式典の準備段階に要したデータ及び式典時の記録の少なくとも一方であればよい。
【図面の簡単な説明】
【００７４】
【図１】本実施形態の式典計画情報共有システムの概略図。
【図２】同じく、主催者コンピュータの概略図。
【図３】同じく、プランナーコンピュータの概略図。
【図４】同じく、シミュレーションデータ記憶部の説明図。
【図５】同じく、ブライダルシミュレータの画面図。
【図６】同じく、式典計画データ記憶部の説明図。
【図７】同じく、検索条件入力画面の画面図。
【図８】同じく、検索結果表示画面の画面図。
【図９】同じく、式典計画データ登録処理の処理手順の説明図。
【図１０】同じく、式典計画データ検索処理の処理手順の説明図。
【符号の説明】
【００７５】
１１…管理サーバ、１２…ＣＰＵ、１３…主催者コンピュータ、１５…プランナーコンピュータ、２１…シミュレーションデータ記憶部、２３…式典計画データ記憶部、３５…シミュレーション結果、４１…分類、４３…識別情報、４５…会場、４７…過去データ、４９…実行回数、ＢＳ…ブライダルシミュレータ、Ｐ１…検索条件入力画面、Ｐ２…検索結果表示画面、Ｉ…ネットワーク。
【図１】
2007034528.tif 000003
【図２】
2007034528.tif 000004
【図３】
2007034528.tif 000005
【図４】
2007034528.tif 000006
【図５】
2007034528.tif 000007
【図６】
2007034528.tif 000008
【図７】
2007034528.tif 000009
【図８】
2007034528.tif 000010
【図９】
2007034528.tif 000011
【図１０】
2007034528.tif 000012